【手続補正書】
【提出日】平成26年4月16日(2014.4.16)
【手続補正１】
【補正対象書類名】特許請求の範囲
【補正対象項目名】全文
【補正方法】変更
【補正の内容】
【特許請求の範囲】
【請求項１】
水および炭素含有構成成分の固体流体混合物のハイドロチャーの製造方法であって、固体流体混合物が、少なくとも２つの保持領域およびその下流に配置された少なくとも１つのダイバータを備える層流リアクター内で温度１００〜３００℃および圧力５〜７０バールで処理されることと、  
前記下流ダイバータにおける前記固体流体混合物の平均流れ速度が１〜１，０００、１０〜５００、または３０〜２００メートル／分であって、前記  保持領域におけるよりも１．５〜１０００、５〜３００、または２０〜１００倍大きいこと、  
前記保持領域における前記固体流体混合物の平均流れ方向は水平面に対して傾いているか、または本質的に垂直であること、および
加圧熱交換器および前記リアクターにおける内の総滞留時間が２時間以上であること
を特徴とする固体流体混合物を処理するための方法。
【請求項２】
請求項１に記載の固体流体混合物を処理するための方法において、前記下流ダイバータにおける前記平均流れ速度が、１〜１，０００、１０〜５００、または３０〜２００メートル／分および／または前記保持領域におけるよりも１．５〜１０００、５〜３００、または２０〜１００倍であることを特徴とする固体流体混合物を処理するための方法。
【請求項３】
請求項１または２に記載の固体流体混合物を処理するための方法において、前記固体流体混合物が、上方向に向けられた保持領域およびその後に、前記下流ダイバータに続く上流ダイバータを貫流することと、特に、前記下流ダイバータにおける平均流れ速度が、１．１〜２、２〜５、または４〜４０倍前記上流ダイバータにおけるよりも速いことと、および／または、前記下流ダイバータの直ぐ後アセンダにおける前記流れ速度が、前記下流ダイバータの直前のディセンダにおけるよりも１．１〜４０または２〜５倍速いことを特徴とする固体流体混合物を処理するための方法。
【請求項４】
請求項１ないし請求項３のいずれか一項に記載の固体流体混合物を処理するための方法において、下降保持領域における前記平均流れ速度が、０．０１〜２０、０．０５〜１０、または０．１〜３メートル／分であることを特徴とする固体流体混合物を処理するための方法。
【請求項５】
水および炭素含有構成成分の固体流体混合物を温度１００〜３００℃および圧力５〜７０バールで処理する固体流体混合物を処理するための装置であって、
少なくとも２つの異なるチューブ領域から成る少なくとも１つのリアクターユニットを有する圧力がかかったリアクターシステムを備えていること、
ａ．上向きの固体流体混合物の平均流れ方向を転換する第２のチューブ領域が、第１チューブ領域に直接結合され、それに第３のチューブ領域が接続され、少なくとも１つのリアクターユニットの前記第１と前記第３のチューブ領域が水平面に対して傾いているかまたは垂直であること、  
ｂ．前記第１のチューブ領域の断面は、直接結合された前記第２のチューブ領域の一つよりも少なくとも５０％大きく、前記第３チューブ領域の断面は、前記第２のチューブ領域よりも少なくとも１０％小さいこと
を特徴とする固体流体混合物を処理するための装置。
【請求項６】
水および炭素含有構成成分の固体流体混合物のハイドロチャーの製造方法であって、固体流体混合物が、少なくとも１つの保持領域およびその下流に配置された少なくとも１つのダイバータを備える少なくとも２つのリアクターユニットから成る層流リアクター内で温度１００〜３００℃および圧力５〜７０バールで処理されることと、
ａ．１〜５０重量％または１５〜９９重量％の固形分を有する出発物質が、互いにそれぞれ異なる２つの前記リアクターユニットを経て、反応混合物に導かれること、
ｂ．下流ダイバータにおける前記固体流体混合物の平均流れ速度が、保持領域におけるより少なくとも５０％速いことおよび直前のリアクターユニットの対応するチューブ領域におけるより少なくとも１０％遅いこと、および
ｃ．前記保持領域における前記固体流体混合物の平均流れ方向が、水平面に対して傾いているか、または本質的に垂直であること
を特徴とする固体流体混合物を処理するための方法。
【請求項７】
水および炭素含有構成成分の固体流体混合物を温度１００〜３００℃および圧力５〜７０バールで処理する固体流体混合物を処理するための装置であって、
少なくとも３つの異なるチューブ領域から成る少なくとも２つのリアクターユニットを有する圧力がかかったリアクターシステムを備えていること、
１〜５０重量％または１５〜９９重量％の固形分を有する出発物質のための互いにそれぞれ異なる２つの供給装置が、リアクターユニットに設置されていること、
ａ．上向きの固体流体混合物の平均流れ方向を転換する第２のチューブ領域が、第１チューブ領域に直接結合され、それに第３のチューブ領域が接続されていて、少なくとも１つのリアクターユニットの前記第１と前記第３のチューブ領域が水平面に対して傾いているかまたは垂直であること、  
ｂ．前記第１チューブ領域の断面は、直接結合された第２チューブ領域の一つよりも少なくとも５０％大きいことを特徴とする固体流体混合物を処理するための装置。
【請求項８】
水および炭素含有構成成分の固体流体混合物のハイドロチャーの製造方法であって、固体流体混合物が、少なくとも１つの保持領域およびその下流に配置された少なくとも１つのダイバータを備える少なくても２つのリアクターユニットから成る層流リアクター内で温度１００〜３００℃および圧力５〜７０バールで処理されること、
下流ダイバータにおける前記固体流体混合物の平均流れ速度が、保持領域におけるより少なくとも５０％速いことおよび直前のリアクターユニットの対応するチューブ領域におけるより少なくとも１０％遅いこと、
前記保持領域における前記固体流体混合物の平均流れ方向が、水平面に対して傾いているか、または本質的に垂直であること
を特徴とする固体流体混合物を処理するための方法。
【請求項９】
水および炭素含有構成成分の固体流体混合物を温度１００〜３００℃および圧力５〜７０バールで処理する固体流体混合物を処理するための装置であって、
少なくとも２つの異なるチューブ領域から成る少なくとも１つのリアクターユニットを有する圧力がかかったリアクターシステムを備えていること、
ａ．上向きの固体流体混合物の平均流れ方向を転換する第２チューブ領域が、第１チューブ領域に直接結合され、それに第３チューブ領域が接続されていて、少なくとも１つのリアクターユニットの前記第１と前記第３のチューブ領域が水平面に対して傾いているかまたは垂直であること、  
ｂ．前記第１チューブ領域の断面は、直接結合された前記第２チューブ領域の一つよりも少なくとも５０％大きいことおよび次のチューブユニットのチューブ領域の断面が直前のリアクターユニットの対応するチューブ領域におけるより少なくとも１０％小さいことを特徴とする固体流体混合物を処理するための装置。
【請求項１０】
請求項５ないし請求項９のいずれか一項に記載の固体流体混合物を処理するための装置であって、再び下方向に貫流する混合物を再び転換する上方向のダイバータおよびそれに接続された第４チューブ領域に直接接続されている上方向に貫流する第３のチューブ領域を備えることを特徴とする固体流体混合物を処理するための装置。
【請求項１１】
請求項１０に記載の固体流体混合物を処理するための装置であって、直接連続した態様において貫流する前記第１から第４のチューブ領域の水力直径がｄｎ１＞ｄｎ３≧ｄｎ４≧ｄｎ２の一つまたはいくつかを満足するものであることと、ｎがリアクターユニットの動作数であって、指数が前記チューブ領域の動作数を与えるえることを特徴とする固体流体混合物を処理するための装置。
【請求項１２】
請求項１１または請求項１２に記載の固体流体混合物を処理するための装置において、連続して配置された、いくつかのリアクターユニットを含むことを特徴とする固体流体混合物を処理するための装置。
【請求項１３】
請求項１２に記載の固体流体混合物を処理するための装置において、次のリアクターユニットのチューブ領域の水力直径が、前のリアクターユニットのそれぞれのチューブ領域の一つよりもそれぞれに大きいことを特徴とする固体流体混合物を処理するための装置。
【請求項１４】
請求項５ないし請求項１３のいずれか一項に記載の固体流体混合物を処理するための装置において、少なくとも１つの熱交換器が入口側および／または少なくとも１つの熱交換器がチューブ状リアクターユニットの出口側に配置されていることを特徴とする固体流体混合物を処理するための装置。
【請求項１５】
請求項５ないし請求項１４のいずれか一項に記載の固体流体混合物を処理するための装置において、ポンプまたは反対圧力ポンプが、リアクター内部の圧力を維持するために、リアクターユニットの上流および／または下流に配置されていることを特徴とする固体流体混合物を処理するための装置。  
【請求項１６】
請求項５ないし請求項１５のいずれか一項に記載の固体流体混合物を処理するための装置において、曲線チューブ領域の長さに対する直線チューブ領域の長さの比が少なくとも１０：１であること特徴とする固体流体混合物を処理するための装置。
【請求項１７】
請求項５ないし請求項１６のいずれか一項に記載の固体流体混合物を処理するための装置において、水力直径に対する直線チューブ領域のそれぞれの長さの比が２：１から８００：１、５：１から４００：１、または１０：１から１６０：１であること特徴とする固体流体混合物を処理するための装置。
【請求項１８】
請求項１２または請求項１３またはそれらに従属する請求項の一つに記載の次のリアクターユニットの使用において、６ミリメートル以下の最大断面を有する粒子を含み、少なくとも３０％の乾燥物質成分を有するさらなる炭素含有構成成分供給のためであることを特徴とする固体流体混合物を処理するための使用。
【請求項１９】
水および炭素含有構成成分の固体流体混合物を温度１００〜３００℃および圧力５〜７０バールで処理する固体流体混合物を処理するための装置であって、それぞれに少なくとも３つの異なるチューブ領域から成る少なくとも２つのリアクターユニットと、最大直径２ミリメートルを有する小さな固体粒子を含む懸濁液の排出のために最後の一つとはことなるリアクターユニットに接続された排出装置を有し、上方向に固体流体混合物の平均流れ方向を転換する第２チューブ領域は、直接第１チューブ領域に接続され、それに第３チューブ領域が接続され、前記第１と前記第３のチューブ領域が水平面に対して傾いているか、または垂直であることを特徴とする固体流体混合物を処理するための装置。
【請求項２０】
水および炭素含有構成成分の固体流体混合物を温度１００〜３００℃および圧力５〜７０バールで処理する固体流体混合物を処理するための方法であって、第１チューブ領域を通って下方向に固体流体混合物を導く段階、固体流体混合物を流れ方向を上方向に転換する段階、次にさらなるチューブ領域を通って上方向に固体流体混合物を導く段階、および、さらに、処理を終了する前に固体流体混合物から最大直径２ミリメートルの固体粒子を含む懸濁液を排出段階からなることを特徴とする固体流体混合物を処理するための方法。
【請求項２１】
固体流体混合物を処理するための装置の使用であって、水および炭素含有構成成分の固体流体混合物を温度１００〜３００℃および圧力５〜７０バールで最大直径２ミリメートルを有する、固体粒子を含む懸濁液を排出するための少なくとも０．５ミリメートルの直径を有している、互いに離間される穴または孔を有することを特徴とする個体流体を分離する装置の使用。